(57)【要約】  石鹸，手指消毒剤，ローション等の流体製品を分注するための装置を提供する。リザーバキャリアは，様々な構造体への流体分注システムの取り付けを容易にするために，設置用ブラケットシステムの１つ又は複数の設置用ブラケットに交換可能に取り付けられるよう構成される。例えば場合によっては，リザーバキャリアを含む流体分注システムをベッドレール上で懸架することを容易にするために，リザーバキャリアを懸架式ブラケットと組み合わせてよい。他の場合には，カウンタ又はＩＶポールに対する流体分注システムのクランプ留めを容易にするために，懸架式ブラケットをクランプ式ブラケットに交換してよい。【選択図】図１
2016540624.tif 000002
【特許請求の範囲】
【請求項１】
流体分注システムであって：
流体製品を内包するための流体リザーバであって，前記リザーバは開放端を有する，流体リザーバと；
前記流体リザーバの前記開放端に流体接続されるポンプと；
前記ポンプに流体接続されるノズルと；
リザーバキャリアであって，前記流体リザーバを前記リザーバキャリアに対して固定位置に保持するための１つ又は複数の保持部材を有する，リザーバキャリアと；及び
設置用ブラケットシステムであって，複数の異種の関連構造体のうちの１つに対して前記流体分注システムを選択的に取り付けるための，前記リザーバキャリアに取り外し可能に接続された交換式取付具を有する，設置用ブラケットシステム
を備える流体分注システム。
【請求項２】
前記設置用ブラケットシステムは：
前記流体分注システムを前記複数の異種の関連構造体のうちの第１の関連構造体上に懸架するためのフック付き表面を備える，懸架式ブラケットと；及び
前記流体分注システムを，前記複数の異種の関連構造体のうちの第２の関連構造体上にクランプ留めするための，選択的に調整可能なクランプ留め表面を有するクランプを備える，クランプ式ブラケット
を備える請求項１記載の流体分注システム。
【請求項３】
前記リザーバキャリアはスロットを備え，前記クランプ式ブラケットは，前記スロットと相互連結するよう構成された連結用ラグを備える請求項２記載の流体分注システム。
【請求項４】
前記連結用ラグは，前記連結用ラグを前記スロットに第１の角度配向又は第２の角度配向で相互連結する多角形状周縁部を有し，前記第１の角度配向は前記第２の角度配向から約９０°離れている請求項３記載の流体分注システム。
【請求項５】
前記リザーバキャリアは，前記リザーバキャリア上に一体的に作製された連結用ラグ収納部を備え，前記設置用ブラケットシステムは：
第１の設置用ブラケットであって，前記第１の設置用ブラケットを前記連結用ラグ収納部に選択的に接続するための第１の連結用ラグを備え，前記第１の設置用ブラケットは，前記流体分注システムを，前記複数の異種の関連構造体のうちの第１の関連構造体に取り付けるための第１の設置表面を有する，第１の設置用ブラケットと；及び
第２の設置用ブラケットであって，前記第１の設置用ブラケットに代えて前記第２の設置用ブラケットを前記連結用ラグ収納部に選択的に接続するための第２の連結用ラグを備え，前記第２の設置用ブラケットは，前記流体分注システムを，前記複数の異種の関連構造体のうちの第２の関連構造体に取り付けるための，前記第１の設置表面とは異なる第２の設置表面を有する，第２の設置用ブラケット
を備える請求項１記載の流体分注システム。
【請求項６】
前記連結用ラグ収納部は，前記リザーバキャリア内に形成された少なくとも１つの凹部によって画定され，前記第１の連結用ラグは，前記少なくとも１つの凹部に複数の角度配向のうちの１つで接続される連結用表面を有する請求項５記載の流体分注システム。
【請求項７】
前記角度配向の範囲は９０°以下である請求項６記載の流体分注システム。
【請求項８】
前記連結用ラグ収納部は，前記リザーバキャリア内に形成された１つ又は複数のスロットを備え；
前記第１の連結用ラグは，前記１つ又は複数のスロットに少なくとも２つの異なる角度配向のうちの１つで選択的に相互連結するプレートを備える請求項５記載の流体分注システム。
【請求項９】
前記第１の設置表面は：
ブラケット部材壁を有する剛性Ｕ字型ブラケット部材と：及び
前記ブラケット部材壁から延在するばね付勢部材
を備える請求項５記載の流体分注システム。
【請求項１０】
前記リザーバキャリアに動作可能に接続されるセンサであって，前記センサは，前記流体製品を自動的に分注する際に使用するために，前記ノズルの近傍における運動を検出するよう動作可能であるセンサと；
前記ポンプを起動するために動作可能に接続された移動装置と：及び
前記センサ又は前記移動装置のうちの少なくとも一方に電力を供給するオンボード電力貯蔵装置
を更に備える請求項１記載の流体分注システム。
【請求項１１】
残留した前記流体製品を回収するための液滴用プレートであって，前記液滴用プレートは前記リザーバキャリアに前記ノズルの下側の設置高さにおいて固定接続される液滴用プレートを更に備える請求項１０記載の流体分注システム。
【請求項１２】
前記ポンプの起動を検出するためのセンサを備えるデータ収集モジュールであって，前記センサは前記ポンプの起動を示す出力を有する，データ収集モジュールと；及び
前記センサと通信する少なくとも１つの電子回路であって，前記少なくとも１つの電子回路は，前記センサの前記出力を関連するネットワークへダウンロードするためのトランスミッタを有する，少なくとも１つの電子回路
を更に備える請求項１記載の流体分注システム。
【請求項１３】
流体吐出分注システムであって：
流体リザーバが選択的に取り付けられるリザーバキャリアであって，前記リザーバキャリアは，前記流体分注システムを複数の異種の関連構造体のうちの１つに選択的に取り付けるための複数の交換式取付具と接合するための連結用表面を有する，リザーバキャリアを備える流体分注システム。
【請求項１４】
前記リザーバキャリアは，前記リザーバキャリア内に形成された少なくとも１つの凹部によって画定される連結用ラグ収納部を備え，前記連結用表面は前記少なくとも１つの凹部内に配置される請求項１３記載の流体分注システム。
【請求項１５】
前記連結用ラグ収納部は，前記リザーバキャリア内に形成された１つ又は複数のスロットを備える請求項１４記載の流体分注システム。
【請求項１６】
前記複数の交換式取付具と関連する設置用ブラケットシステムであって，前記設置用ブラケットシステムは，前記１つ又は複数のスロットと選択的に相互連結するプレートを備える，設置用ブラケットシステムを更に備える請求項１５記載の流体分注システム。
【請求項１７】
前記複数の交換式取付具と関連する設置用ブラケットシステムを更に備え，前記設置用ブラケットシステムは：
前記流体分注システムを前記複数の異種の関連構造体のうちの第１の関連構造体上に懸架するためのフック付き表面を備える，懸架式ブラケットと；及び
前記流体分注システムを前記複数の異種の関連構造体のうちの第２の関連構造体上にクランプ留めするための，選択的に調整可能なクランプ留め表面を有するクランプを備える，クランプ式ブラケット
を備える請求項１３記載の流体分注システム。
【請求項１８】
前記リザーバキャリアに動作可能に接続されるセンサであって，前記センサは，前記流体製品を前記流体リザーバから自動的に分注する際に使用するために運動を検出するよう動作可能である，センサを更に備える請求項１３記載の流体分注システム。
【請求項１９】
前記センサに電力を供給するオンボード電力貯蔵装置を更に備える請求項１８記載の流体分注システム。
【請求項２０】
流体分注システムであって：
リザーバキャリアであって，流体リザーバを前記リザーバキャリアに対して固定位置に保持するための１つ又は複数の保持部材を有し，前記リザーバキャリアは第１の接合構造体を備える，リザーバキャリアと；及び
設置用ブラケットシステムであって，複数の異種の関連構造体のうちの１つに対して前記流体分注システムを選択的に取り付けるための，前記リザーバキャリアに取り外し可能に接続された交換式取付具を有し，前記設置用ブラケットシステムは，前記リザーバキャリアを前記設置用ブラケットシステムに接合するために前記第１の接合構造体と対になるよう構成された第２の接合構造体を備える，設置用ブラケットシステム
を備える流体分注システム。
【発明の詳細な説明】
【発明の詳細な説明】
【０００１】
関連出願
本出願は，２０１３年９月２６日出願の米国仮特許出願第６１／８８２９４４号「モジュールの臨床現場即時分注システム（MODULAR POINT OF CARE DISPENSER SYSTEM）」に対する優先権を主張するものであり，上記仮特許出願はここに引用することにより本出願に適用される。
【技術分野】
【０００２】
本発明は，流体製品を分注するための装置に関し，より具体的には，多様な異なる設置表面への設置のために適合できる流体ディスペンサ及びそのホルダに関する。
【背景技術】
【０００３】
例えば病院又は老人ホームのような健康管理施設に入る人々は，滞在期間中に感染を受ける場合が多い。患者が上記健康管理施設に入る前には元々保有していなかったこのような感染は，ＨＡＩ（医療関連感染）と呼ばれ，患者の健康に対して重篤なリスクを呈する。多くの例では，ＨＡＩは滞在の延長及び追加治療をもたらし，ときに，生命を失うことにさえつながる。ＨＡＩは患者及びその家族に心的外傷を付与するだけでなく，健康管理施設に対して重大な金銭的負担を追加し，これは治療コストを増大させる。
【０００４】
良好な手指消毒によってＨＡＩの拡散を防止できるという有力な根拠が存在する。石鹸及び清浄な水を用いた洗浄は，手指消毒剤の使用と同様に，細菌の伝染の防止を支援する。研究の結果から，ＣＤＣ（疾病管理予防センター）及びＷＨＯ（世界保健機構）のような健康関連機関は，アルコール系消毒剤の使用を含む手指の洗浄及び消毒に関するガイドラインを発表している。
【０００５】
ＷＨＯが公開したあるガイドラインは，手指消毒のための５つの機会について記載している。このガイドラインは，医療従事者が自身の手指を洗浄又は消毒しなければならない重要な機会について概説している。これら５つの機会は：患者との接触前；無菌操作前；体液への曝露後；患者との接触後；及び患者の周囲環境との接触後における，洗浄又は消毒を含む。
【０００６】
消毒時，医療従事者は典型的には，壁設置型ディスペンサを使用する。いくつかのディスペンサは従来，患者の部屋の入口の扉付近に配置される。他の例では，医療従事者は自立型ボトルを利用して自身の手指を消毒する。しかしながら，自立型ボトルは，特に上で列挙した５つの機会のうちの１つを実施する際に，都合良く常に手の届く範囲にあるわけではない。したがって，消毒を行う機会を失ってしまう場合がある。更に自立型ボトルは盗難に遭う。患者の部屋の内部の多様な位置にディスペンサ及びディスペンサボトルを設置するためのシステムが必要である。ここに記載する本発明の実施形態は，上述の課題を解決するものである。
【発明の概要】
【０００７】
主題となる発明の一実施形態では，流体分注システムは，石鹸，手指消毒剤又はローションのような流体製品を保持するための，全体として封入された流体リザーバを含む。流体ポンプは，リザーバの開放端に，液密に接続される。ノズルも含まれており，ポンプに流体連通される。上記分注システムはリザーバキャリアを更に含み，上記リザーバキャリアは，流体分注システムのハウジングを備える。リザーバキャリアは，流体リザーバをリザーバキャリアに対して固定位置に保持するための保持部材を含む。交換式取付具を有する設置用ブラケットのシステムは，リザーバキャリアに取り外し可能に接続され，これにより，流体分注システムを，例えばカウンタトップ及びＩＶポール等の多数の異なる構成の構造体のうちの１つに対して選択的に取り付けることができる。交換式取付具の例は，クランプ式ブラケット又は懸架式ブラケットを含んでよい。
【０００８】
図面中に挙げる実施形態は本質的に説明的及び例示的なものであり，請求項によって定義される主題を制限することを意図するものではない。図示した実施形態に関する以下の記載は，以下の図面と併せて読むと理解できるであろう。
【図面の簡単な説明】
【０００９】
【図１】主題となる発明の実施形態による，ポールに取り付けられる流体分注システムの斜視図；
【図２】主題となる発明の実施形態による流体分注システムの正面斜視図；
【図３】主題となる発明の実施形態による流体分注システムの背面斜視図；
【図４】主題となる発明の実施形態による設置用ブラケット取付具；
【図５】主題となる発明の実施形態による別の設置用ブラケット取付具；
【図６】主題となる発明の実施形態によるボトルホルダ及び流体製品のボトルの，一設置配向における斜視図；
【図７】主題となる発明の実施形態によるボトルホルダ及び流体製品のボトルの，別の設置配向における別の斜視図；
【図８】主題となる発明の実施形態によるボトルホルダ及び流体製品のボトルの，更に別の設置配向における更に別の斜視図；及び
【図９】主題となる発明の実施形態によるボトルホルダ及び流体製品のボトルの背面斜視図。
【発明を実施するための形態】
【００１０】
図１には，主題となる発明の実施形態による流体製品の測定された量を分注する製品分注システムが示されている。ある例では，全体として１０で表される分注システムは，石鹸，ローション又は消毒剤のようなハンドケア製品を分注するが，この製品ディスペンサから他の製品を同様に分注してもよい。
【００１１】
図１に示す実施形態では，分注システム１０は基部１４を含む。基部１４は，分注システム１０の構成要素を支持するよう構成された１つ又は複数の壁１５からなる。コスト効率の高い基部１４及びシステムの他の構成要素の製作のために，プラスチックを使用してよい。流体リザーバ２６は，倒立状態で基部に設置され，当該技術分野において公知の様式で製品を分注するためのポンプを含む。基部１４の後側１６には，テーブル１７，ＩＶポール（点滴ポール）１８，ディスペンサスタンド（図示せず）又は他の支持構造体にディスペンサを取り付けるために，設置用ブラケット２２が含まれる。図示されている設置用ブラケット２２はモジュール式の設計であり，即ち設置用ブラケット２２は，基部１４から取り外して別のタイプの設置用ブラケットと交換できる。このようにして，以下で詳細に説明するように，異なるタイプの設置用ブラケットを用いて，異なるタイプの支持構造体に分注システムを取り付けることができる。
【００１２】
上述のように，基部１４は流体リザーバ２６を固定して収納するよう設計される。基部１４の壁１５は，分注システム１０の上側端部に凹状領域２０を形成するよう構成される。図示されていない構造的構成要素は，使用中にリザーバ２６を所定の位置に収納及びロックする。点検が必要な場合に流体リザーバを解放するために，ラッチ３０が含まれている。
【００１３】
基部１４への設置の前に，リザーバをポンプ（図示せず）と嵌合させる。ポンプは連結装置の組立体と係合し，またポンプを作動させて製品を分注するために，図示されていないモータによって駆動される。分注システム１０にオンボードで備え付けられたバッテリが，ポンプを作動させるための電力を提供する。所望の様式で流体製品を分注するために，ポンプの出口にノズル（図示せず）が取り付けられる。
【００１４】
引き続き図１を参照すると，基部１４は，基部１４から下向きに延在する背部３４又は裏板３４を含んでよい。一実施形態では，背部３４は基部１４と一体的に作製される。しかしながら，背部３４を基部１４に固定できる他の実施形態も考えられる。液滴用プレート３８は，背部３４の遠位端から延在して，およそ９０°の角度で外向きに突出するが，確実な判断の下でいずれの鋭角を選択してよい。したがって液滴用プレート３８は，ポンプの下側，より具体的にはノズルの下側の高さに位置決めされる。当業者は，液滴用プレート３８が，使用中にノズルから垂れる場合がある残留した製品を捕捉することを理解するであろう。したがって液滴用プレート３８は，流体製品が蒸発するまで又は点検要員が流体製品を清掃するまで流体製品を捕捉するための凹状中央部４０を有して構成してよい。
【００１５】
一実施形態では，バッテリ（図示せず）を，液滴用プレート３８の本体に格納してよい。バッテリキャビティ(battery cavity)から基部１４内に配置されたモータまでをコンダクタ(conductors)（これも図示せず）を介して接続(routed)してよい。つまり，これらのコンダクタは背部３４を通ってモータへと至る。他の実施形態では，分注システム１０が使用する電子回路構成，例えば回路基板も，基部１４又は背部３４内に格納してよい。
【００１６】
ここで図２を参照すると，製品分注システム１０は，基部１４又はシステムのいずれの他の構成要素に触れることなく起動できる。したがって「非接触（touch‐free）」システムは，ノズルの下側での運動を検出する１つ又は複数のセンサ４２を含んでよい。例示的な一実施形態では，センサ４２はＩＲ（赤外線）技術を使用し，これは基部１４の裏側に設置してよい。偶発的な起動を回避するために，センサの検出野は，基部１４と液滴用プレート３８との間の領域内のみの運動を検出するように配向，即ち角度設定してよい。主題となる発明の実施形態の，意図されている包含範囲から逸脱することなく，他のタイプのセンサ及び／又はセンサの構成を選択してよいと解釈するべきである。
【００１７】
再び図１を，そしてここで図３〜図５を参照すると，製品分注システム１０は，モジュール式設置用ブラケットシステムを含む。「モジュール式」は，上述のように分注システムを１つ又は複数の実質的に異なる表面に接続するために，それぞれ分注システムの基部１４と相互連結する，複数の交換式構成要素を設けることを意味している。それぞれ基部１４と相互連結する複数の設置用ブラケット５０が設けられ，その例が図４及び図５に示されている。
【００１８】
図４及び図５を参照すると，設置用ブラケット５０は，設置用ブラケット５０の側部から延在する接続部材５４を含む。接続部材５４は，設置用ブラケット５０の本体と一体的に形成してよい。一実施形態では，接続部材５４は，連結用ラグ５６と呼ばれる突出部を備えてよい。連結用ラグ５６は，基部１４及び／又は背部３４内に作製された，適合する連結用ラグ収納部６４に接続されるよう構成してよい。より具体的には，連結用ラグ５６は，連結用ラグ収納部６４と相互連結する。特定の一実施形態では，連結用ラグ５６は，基部１４へとロックされるプレート又はフランジ５７を含んでよい。換言すると，連結用ラグ５６は，基部１４上の接合表面に重なる平坦な表面５９を有するように構成してよい。ここで，本実施形態は主に機械的相互連結について説明しているものの，磁力による相互連結を含むがこれに限定されない他の形態の相互連結が考えられることに留意されたい。
【００１９】
引き続き図３を参照すると，連結用ラグ収納部６４は，分注システム１０の基部１４にスロット６６を作製することによって構成してよい。したがって，フランジ５７はスロット６６内へと摺動することによって，基部１４と相互連結する。スロット６６の深さが，設置用ブラケット５０上に配置されたフランジ５７の厚さに対応することは，容易に理解されるだろう。更に，スロット６６間の距離もまた，フランジ５７が広がっている幅に対応するものが選択されることになる。本明細書記載の分注システムの実施形態と共に使用するために好適であれば，スロットのいずれの深さ及びスロット間のいずれの幅を選択してよい。
【００２０】
再び図５を参照すると，連結用ラグ５６は，設置用ブラケット５０を基部１４に，２つ以上の設置配向において取り付けるために構成できる。設置用ブラケット５０の連結用ラグ５６を通過する軸Ａを定義する。第１の設置配向では，軸Ａは基部１４に形成されたスロット６６に対して平行である。第２の設置配向では，設置用ブラケット５０は，軸Ａが今度はスロット６６に対して垂直となるように回転する。設置用ブラケット５０をある特定の表面に取り付ける際，ユーザは連結用ラグ５６を所望の配向に位置合わせし，設置用ブラケット５０を連結用ラグ収納部６４と係合するように設置又は摺動させる。例えば分注システム１０は，全体として水平な表面を有するカウンタトップに取り付けてよい。あるいは，分注システム１０を取り付けるための表面は，垂直に立っているＩＶポール（点滴ポール）であってよい。ひとたび所定の位置となると，分注システム１０を上記表面に固定するために，又は懸架式ブラケットの場合（図４参照）は分注システム１０を所定の位置に懸架できるようにするために，ユーザはクランプを締めることができる。したがって都合のよいことに，ユーザは，複数の異種の構成の設置表面に取り付けられるように分注システム１０を適合させることができる。
【００２１】
本実施形態では，１つの設置用ブラケット５０は１つのクランプ７０又はクランプ式ブラケット７０を備える。クランプ７０は，以下の構成部品：剛性クランプ本体７２；第１の可動式クランプ留め部材７４；第２の静止式クランプ留め部材７６；ねじ山付きロッド７８；ユーザハンドル８０；及び連結用ラグ５６を含んでよい。当該技術分野において公知の様式では，ねじ山付きロッドはクランプ留め部材７４，７６間の距離を調整する。クランプ留め部材７４，７６は，クランプ７０を異なる形状の表面にしっかりと取り付けられるようにするクランプ留め表面を含んでよい。具体的には，上記クランプ留め部材７４，７６は，平坦なセクション７４ａ，７６ａ及びノッチ付きセクション７４ｂ，７６ｂを含んでよい。図面では，ノッチ付きセクションはＶ字型であるが，本明細書記載の実施形態の，意図されている包含範囲から逸脱することなく，湾曲したノッチ又は他の形状のノッチをクランプ７０に組み込んでよい。このようにして，クランプ留め部材７４，７６は，異なる厚さの取り付け表面だけでなく異なる形状の表面にも設置されるよう適合される。
【００２２】
再び図４を参照すると，第２のタイプの設置用ブラケット５０’は，設置用ブラケット５０’を例えばベッドのレール又はベッドの端部（図示せず）に懸架できるようにする，フック付きセクションを含む。この実施形態では，懸架式ブラケット７９とも呼ばれる設置用ブラケット５０’は，上記と同様に，設置用ブラケット５０’の側部から突出するフランジ５７からなる連結用ラグ５６を含む。つまり，フランジ５７の厚さ及びフランジ５７が広がっている幅は，スロット６６の寸法に対応する。したがって懸架式ブラケット７９は，クランプ式設置用ブラケット７０と同様の様式で基部１４に取り付けられる。本明細書記載の手段以外の取り付け手段を有する設置用ブラケットが，当業者には明らかとなるだろう。このような変形例は全て，請求対象の発明の包含範囲内に当てはまるものと解釈するべきである。
【００２３】
主題となる発明の別の実施形態を，図６〜図８に示す。この実施形態では，分注システム１００は，ボトルキャリア１０４又はリザーバキャリア１０４と，流体製品の事前包装済みボトル１０２とを含む。流体製品の事前包装済みボトル１０２（以下，ボトル１０２と称する）が容易に交換可能であり，また更に自立型ユニットとしての使用のために機能するものであることが理解されるだろう。しかしながら上述のように，自立型ユニットの欠点は，本明細書記載の主題となる発明の様々な実施形態によって克服される。
【００２４】
ボトルキャリア１０４は，ハウジング１１２とも称されるフレーム１１２を含み，これはプラスチック又は他の好適な材料から構成される。基部１１４はハウジング１１２の１つの端部から延在し，ボトル１０２を支持するために上記端部に堅固に取り付けられる。基部１１４から上向きに延在する側壁１１６又は棚状部１１６を含んでよく，これは，ボトル１０２をボトルキャリアに対して所定の位置に更に保持するよう構成されたボウル又はカップ１１８を形成する。基部１１４の遠位端では，アーム１２０が基部１１４から前方へと延在する。アーム１２０は，ボトル１０２を少なくとも部分的に囲むように，かつ，使用中にボトル１０２を所定の位置に保持するための支持を付与するように設計される。代替実施形態では，アーム１２０は互いに相互連結してロックされ，ボトル１０２を所定の位置に確実に保持するよう形成される。
【００２５】
引き続き図６〜図８を，そしてここで図９も参照すると，ボトルキャリア１０４の後側１２４は，基部１４内に作製された連結用ラグ収納部６４と同様の連結用ラグ収納部１２８を含む。連結用ラグ収納部１２８を構成するスロット１３２は，上述の設置用ブラケット５０の連結用ラグ５６に寸法的に対応してよい。
【００２６】
実施形態に関する以上の説明から，複数の交換式設置用ブラケットを設けることによって，分注システム１０，１００を，それぞれ大幅に異なる複数の構造体に取り付けることができることが理解できる。このようにして，分注システム１０，１００は，様々な位置のうち，エンドユーザ，例えば医療従事者の付近に都合よく位置決めできるようになる。
【００２７】
請求対象の主題となる発明の精神及び範囲から逸脱することなく，本明細書記載の実施形態に対して様々な改変及び変形を施すことができることは，当業者には明らかであろう。したがって本明細書は，本明細書記載の様々な実施形態の改変形態及び変形形態を，これら改変形態及び変形形態が添付の請求項及びその均等物の範囲内となる限り，包含することが意図されている。
【図１】
2016540624.tif 000003
【図２】
2016540624.tif 000004
【図３】
2016540624.tif 000005
【図４】
2016540624.tif 000006
【図５】
2016540624.tif 000007
【図６】
2016540624.tif 000008
【図７】
2016540624.tif 000009
【図８】
2016540624.tif 000010
【図９】
2016540624.tif 000011
【国際調査報告】
2016540624.tif 000012
2016540624.tif 000013
2016540624.tif 000014